(57)【要約】【課題】不陸調整された美麗な改修仕上りとすることができる既存壁の改修方法と、改修壁を提供する。【解決手段】既存壁の改修に際しては、既存サイディング５の表面にプライマー７を塗布し、次いで不陸調整材８を塗る。該不陸調整材８上に、既存サイディング５同士の間の目地部を跨ぐようにネット１１を押し当てる。ネット１１及び不陸調整材８の上から再度不陸調整材８を塗り、該不陸調整材８の前面を均等に平坦にして不陸調整を行う。下塗り材９、上塗り材１０を塗って仕上げる。ネット１１が他の素材を介することなく不陸調整材８に埋設されているため、他の素材と不陸調整材８との境界付近に亀裂等の不具合が生じることが防止されると共に、不陸調整材８の厚みを小さくすることができる。【選択図】図１
2006283446.tif 000002
【特許請求の範囲】
【請求項１】
目地部を有する既存壁の改修の際の板間処理方法において、
該既存壁の表面のうち少なくとも該目地部及び該目地部の周辺部に、該目地部を跨ぐように不陸調整材を塗る第１の不陸調整材塗布工程と、
次いで該不陸調整材の上に、該目地部を跨ぐようにネットを配置する工程と、
その後、該既存壁の表面に、該ネットが埋没するように該不陸調整材を塗って不陸を調整する第２の不陸調整材塗布工程と、
を有することを特徴とする既存壁の板間処理方法。
【請求項２】
請求項１において、前記第１の不陸調整材塗布工程の前に、前記既存壁にプライマーを塗布するプライマー塗布工程を行うことを特徴とする既存壁の板間処理方法。
【請求項３】
目地部を有する既存壁の改修壁において、
既存壁と、
該既存壁の表面に設けられた不陸調整材と、
該不陸調整材の内部であって該既存壁の目地部に沿う位置に配置されたネットと、
を有することを特徴とする改修壁。
【請求項４】
請求項１又は２に記載の工法により既存壁が改修されてなる改修壁。
【発明の詳細な説明】
【技術分野】
【０００１】
本発明は、既存壁を改修する方法と、既存壁が改修されてなる改修壁に関する。
【背景技術】
【０００２】
外壁がサイディング材等の板状壁部材の張設によって仕上げられるものである場合、該板状壁部材間の目地部（板間）に、該目地部を跨ぐようにしてパテを塗り重ねる等の目地処理が行われる。
【０００３】
例えば、実開平４−２０５３９号公報には、板状壁部材間の目地部を跨ぐようにパテを塗り、該パテ内部に、該目地部を覆うようにネットを埋設して該パテの強度を高めた大壁構造が記載されている。このように施工された壁構造体に塗り仕上げが施される。
【０００４】
これら外壁は、経年的に表面が劣化し、美観が損なわれてくることがある。例えば、サイディング表面の塗装が部分的に剥れてくることがある。
【０００５】
このような場合、劣化した既存サイディング材を取り除き、新規サイディング材を取り付けることがあるが、大掛りな工事になると共に、除去作業時に大量に塵埃が発生する。
【０００６】
劣化部分を除去することなく外壁をタイル張りする方法として、外壁に塗り仕上げ材を塗布する改修方法がある。しかし、既存壁に不陸があると、不陸がそのまま仕上げ面に現われることになる。特に、改修の際に、目地処理として上記実開平４−２０５３９号公報のように既存壁表面の目地部及びその周辺部にパテを塗布する場合、パテを塗布した箇所とその他の箇所との不陸がより大きなものとなる。
【発明の開示】
【発明が解決しようとする課題】
【０００７】
本発明は、不陸調整された美麗な改修仕上りとすることができる既存壁の板間処理方法と、既存壁が改修されてなる改修壁を提供することを目的とする。
【課題を解決するための手段】
【０００８】
本発明（請求項１）の既存壁の板間処理方法は、目地部を有する既存壁の改修の際の板間処理方法において、該既存壁の表面のうち少なくとも該目地部及び該目地部の周辺部に、該目地部を跨ぐように不陸調整材を塗る第１の不陸調整材塗布工程と、次いで該不陸調整材の上に、該目地部を跨ぐようにネットを配置する工程と、その後、該既存壁の表面に、該ネットが埋没するように該不陸調整材を塗って不陸を調整する第２の不陸調整材塗布工程と、を有することを特徴とするものである。なお、ここでいう目地部とは既存サイディングの板間や、既存壁の板間、既存壁の隙間等を言う。
【０００９】
請求項２の既存壁の板間処理方法は、請求項１において、前記第１の不陸調整材塗布工程の前に、前記既存壁にプライマーを塗布するプライマー塗布工程を行うことを特徴とするものである。
【００１０】
本発明（請求項３）の改修壁は、目地部を有する既存壁の改修壁において、既存壁と、該既存壁の表面に設けられた不陸調整材と、該不陸調整材の内部であって該既存壁の目地部に沿う位置に配置されたネットと、を有することを特徴とするものである。
【００１１】
本発明（請求項４）の改修壁は、請求項１又は２に記載の工法により既存壁が改修されてなるものである。
【発明の効果】
【００１２】
本発明の改修方法及び改修壁によると、既存壁の不陸が調整されて塗り仕上げもしくはタイル張りされた美麗な改修壁とすることができる。
【００１３】
また、目地部付近の不陸調整材がネットで補強されているため、外気温の変化に伴って既存壁が伸縮し、既存壁同士の間の目地部の幅が変化しても、目地部付近の不陸調整材に亀裂等の不具合が生じることが防止される。
【００１４】
本発明の改修壁の改修方法は、既存壁の表面の目地部及びその周辺部のみに不陸調整材及びネットを設け、次いで既存壁の表面の全面に不陸調整材を塗布するものであってもよいし、既存壁の全面に不陸調整材を塗布し、次いで目地部を跨ぐようにネットを配置し、その後、再度既存壁の全面に不陸調整材を塗布するものであってもよい。
【００１５】
また、既存壁に先ずプライマーを塗布し、次いで不陸調整材を塗布すると、不陸調整材が既存壁に強固に付着する。
【発明を実施するための最良の形態】
【００１６】
以下、図面を参照して実施の形態について説明する。第１図は改修された改修壁の斜視図、第２図は改修された改修壁の厚み方向の断面図、第３図は改修される前の既存壁の斜視図である。
【００１７】
第３図の通り、柱１の前面に透湿防水シート２が張り渡され、その上から縦胴縁３が該柱１に対し釘等により留めつけられている。この縦胴縁３の前面に、バックアップ材４を介して複数のサイディング（既存サイディング）５が留め付けられ、該サイディング５，５同士の間にコーキング材６が充填されている。
【００１８】
この既存壁を改修するに際しては、必要に応じ既存サイディング５を高圧水吹付等によって汚れ除去処理し、乾燥させた後、その表面にプライマー７を塗布する。次いで、パテなどの不陸調整材８を塗って、前面を均等に平坦にして不陸調整を行う。
【００１９】
次いで、該不陸調整材８上に、既存サイディング５同士の間の目地部（板間）を跨ぐようにネット１１を押し当て、このネット１１及び不陸調整材８の上から再度不陸調整材８を塗って、該不陸調整材８の前面を均等に平坦にして不陸調整を行う。
【００２０】
次いで、下塗り材９を塗り、その上に上塗り材１０を塗って仕上げる。
【００２１】
このように、不陸調整材８を塗って不陸調整するため、上塗り材１０の塗り仕上り面は面精度が良好で美麗なものとなる。
【００２２】
このネット１１を板間に跨って設けることにより、板間が拡張するようにサイディング５が変位した場合に不陸調整材８及び塗り仕上げ材９，１０に亀裂が入ることが防止される。
【００２３】
さらに、ネット１１が他の素材を介することなく不陸調整材８に埋設されている。このため、他の素材と不陸調整材８との境界付近に亀裂等の不具合が生じることが防止される。また、ネット１１のみを不陸調整材８内に埋設すればよいため、不陸調整材８の厚みを小さくすることができ、ネット１１の両面に異素材を積層する場合と比べて、不陸調整材８の使用量を少なくすることができる。なお、本実施例ではネットのみを介したが適宜他のものを介してもよい。
【００２４】
なお、上記のようにプライマー７を塗ることにより、不陸調整材８の付着が強固となる。プライマー７としては、アクリルシリコン溶液にシランカップリング剤を混入した溶剤型のものが好適である。その理由としては、シランカップリング剤は、分子中に２個以上の異なった反応基を有する有機珪素化合物であり、これらの反応基は、無機質と化学結合するものと、有機材料（各種の合成樹脂）と化学結合するものとの双方を含んでいるため、既存塗装の種類にかかわりなく、接着性を向上させることができるからである。
【００２５】
また、プライマー７としては、キシレン、トルエン等を含んだ溶剤型ものが、チョーキング（白亜化）した既存塗膜を健全化するので好ましい。
【００２６】
不陸調整材８としては、アクリル樹脂系エマルジョン等の樹脂系塗り材が好適である。
【００２７】
下塗り材９及び上塗り材１０は、いずれも変性シリコン系あるいはエポキシウレタン系などの弾性接着剤をベースとし、これに必要に応じ顔料やフィラーを添加したものが好適である。
【００２８】
ネット１１としては、ガラス繊維よりなるネット（以下、ガラスネットという。）１１を固着するのが好適である。この実施の形態では該ネット１１はガラス繊維よりなるが、ネットの材質はこれに限定されるものではない。ガラス繊維以外の材質としては、ナイロン、ポリプロピレン（ＰＰ）、ポリエチレン（ＰＥ）等が好ましい。
【００２９】
なお、本実施の形態とは異なり、既存サイディング５にプライマー７を塗布した後、既存サイディング５の板間（目地部）及びその周辺部のみに不陸調整材８を塗布してもよい。この場合、次いで、該不陸調整材８の上に目地部を跨ぐようにしてネット１１を押し当て、該ネット１１、不陸調整材８及びプライマー７上に不陸調整材８を塗布して既存サイディング５の前面の全面を均等に平坦にし、不陸調整を行うことにより、既存修壁の改修を行う。
【００３０】
第４図は別の実施の形態に係る改修壁を説明する水平断面図、第５図（ａ）は参考例に係る改修壁を説明する水平断面図、第５図（ｂ）は第５図（ａ）の改修壁に亀裂が生じた状態を説明する水平断面図である。
【００３１】
第４図の改修壁は、第１〜２図の改修壁において、プライマー７及び下塗り材９を省略したものである。第４図の改修壁を施工するに際しては、既存サイディング５の前面の全面又は目地部及びその周辺部に不陸調整材８を塗布し、次いで該不陸調整材８上に該目地部を跨ぐようにネット１１を押し当て、その後、不陸調整材８を塗布して既存サイディング５の前面の全面を均等に平坦にして不陸調整を行い、その上に上塗り材１０を塗布する。
【００３２】
第５図（ａ）の改修壁を施工するに際しては、不陸調整材８とは材質の異なるパテ１２を既存サイディング５の目地部を跨ぐように塗布し、その上にネット１１を押し当て、さらに該ネット１１の上にパテ１２を塗布した後、１日放置して乾燥させる。次いで該パテ１２，１２及びネット１１よりなる積層体及び既存サイディング５の前面に不陸調整材８を塗布し、その後上塗り材１０を塗布する。
【００３３】
第５図（ａ）の改修壁は、該積層体と不陸調整材８の材質が異なっている。このため、第５図（ｂ）のように、積層体と不陸調整材８との境界で、亀裂１３等の不具合が生じるおそれがある。また、パテ１２，１２とネット１１とからなる積層体の厚みは、ネット１１のみの厚みと比べて大きいため、この積層体を不陸調整材８で埋設するためには不陸調整材８を多量に使用する必要が生じ、コスト高となる等の不都合が生じる。なお、不陸調整材８の使用量を少なくするために不陸調整材８の厚みを小さくすると、積層体の前面にある不陸調整材８の厚みが小さくなり、該不陸調整材８と積層体との境界で、より亀裂が生じ易くなる。さらに、既存サイディング５の目地部にパテ１２，ネット１１及びパテ１２を設けた後、１日放置して乾燥させる必要があることから、施工日数が長くなると共に手間がかかる。
【００３４】
一方、第４図の改修壁は、不陸調整材８内に異なる材質のパテ１２，１２が埋設されていないため、第５図（ｂ）のように異なる材質との境界で割れ等の不具合が生じることはない。また、ネット１１の厚みは小さいことから、不陸調整材８の厚みを小さくすることができ、従って、不陸調整材８の使用量を少なくすることができる。さらに、ネットを介して不陸調整材８が異なる材質ではなく、同質のパテ１２を使用しているため、パテ１２を乾燥させる手間が省かれ、施工日数が短縮される。
【図面の簡単な説明】
【００３５】
【図１】改修された改修壁の斜視図である。
【図２】改修された改修壁の厚み方向の断面図である。
【図３】改修される既存壁の斜視図である。
【図４】別の実施の形態を示す水平断面図である。
【図５】（ａ）は参考例に係る改修壁を示す水平断面図であり、（ｂ）は（ａ）の改修壁に亀裂が生じた状態を示す水平断面図である。
【符号の説明】
【００３６】
５  既存サイディング
７  プライマー
８  不陸調整材
９  下塗り材
１０  上塗り材
１１  ガラスネット
１２  パテ
１３  亀裂
【図１】
2006283446.tif 000003
【図２】
2006283446.tif 000004
【図３】
2006283446.tif 000005
【図４】
2006283446.tif 000006
【図５】
2006283446.tif 000007